(57)【要約】【課題】  様々なタイプのフィルムカメラ及びデジタルカメラに利用できるようにして汎用性，コストパフォーマンス及び利用者の利便性向上を図るとともに、カメラ全体のコストダウン，小型コンパクト化及び軽量化に寄与する。【解決手段】  複数のレンズＬ１…における一部のレンズＬ４，Ｌ５を、少なくとも一つの空気間隔Ｓｃを変更する位置であって、フィルムカメラのカメラボディ５ｆに装着した際にレンズの収差量をマッチングさせる第一位置Ｘｆ又はデジタルカメラのカメラボディ５ｄに装着した際にレンズの収差量をマッチングさせる第二位置Ｘｄに変位可能に支持するレンズ支持機構２と、レンズ鏡筒４の外部に露出させた操作部３ｓにより一部のレンズＬ４…を第一位置Ｘｆ又は第二位置Ｘｄへ選択的に変位可能な手動切換操作機構３とを備える。【選択図】  図１
2010020188.tif 000002
【特許請求の範囲】
【請求項１】
カメラボディに着脱する複数のレンズを内蔵した交換レンズにおいて、前記複数のレンズにおける一部のレンズを、少なくとも一つの空気間隔を変更する位置であって、フィルムカメラのカメラボディに装着した際にレンズの収差量をマッチングさせる第一位置又はデジタルカメラのカメラボディに装着した際にレンズの収差量をマッチングさせる第二位置に変位可能に支持するレンズ支持機構と、レンズ鏡筒の外部に露出させた操作部により前記一部のレンズを前記第一位置又は前記第二位置へ選択的に変位可能な手動切換操作機構とを備えることを特徴とする交換レンズ。
【請求項２】
前記第一位置では、フィルムカメラのカメラボディに装着した際における前記収差量が無収差又は許容範囲の収差量となるように設定することを特徴とする請求項１記載の交換レンズ。
【請求項３】
前記第二位置では、デジタルカメラのカメラボディに装着した際における前記収差量が固体撮像素子の手前に配されるローパスフィルタの影響を相殺する収差量となるように設定することを特徴とする請求項１記載の交換レンズ。
【発明の詳細な説明】
【技術分野】
【０００１】
本発明は、カメラボディに着脱する交換レンズであって、フィルムカメラ又はデジタルカメラの双方に用いて好適な交換レンズに関する。
【背景技術】
【０００２】
一般に、カメラボディに着脱する複数のレンズを内蔵した交換レンズは知られている。一方、カメラボディには、銀塩フィルムにより撮影するフィルムカメラのカメラボディとＣＣＤ等の固体撮像素子により撮影するデジタルカメラのカメラボディが存在するが、両者はその撮像原理が全く異なることから、例えば、フィルムカメラ用の交換レンズをデジタルカメラのカメラボディに装着してもモアレや偽色等が発生して良好な撮影を行うことができない。即ち、フィルムカメラの場合、図７に示すように、交換レンズ５０を透過した光線はダイレクトに銀塩フィルムＦｆに結像するが、デジタルカメラの場合、図８に示すように、固体撮像素子の受光面Ｄｆの手前に高空間周波数成分をカットする水晶板等を用いたローパスフィルタＧを配するため、このローパスフィルタＧの有無による非点収差特性の相違が交換レンズ５０から見た場合のフィルムカメラとデジタルカメラの相違点となって現れる。
【０００３】
この点について更に具体的に説明する。図７に示すフィルムカメラ用の交換レンズ５０の特性が、ｆ＝５０ｍｍ，Ｆ２．５（開口４０φ）であり、また、射出瞳位置が５０ｍｍであると仮定する。図７中、０点及びＰ点は銀塩フィルムＦｆの結像位置を示すとともに、Ｃｏｃは軸光線、Ｃｏｖ…及びＣｏｈ…は０点の斜光線、Ｃｐｖ…及びＣｐｈ…はＰ点の斜光線をそれぞれ示す。なお、Ｃｐｖ…がサジタル方向、Ｃｐｈ…がタンジェンシャル方向となる。そして、この交換レンズ５０を、図８に示すデジタルカメラに装着した場合を想定する。図８に示すローパスフィルタＧは、屈折率ｎ＝１．５、板厚ｗ＝３．０ｍｍ、固体撮像素子の受光面ＤｆとローパスフィルタＧ間の距離ｉ＝１．０ｍｍであるとする。ローパスフィルタＧを透過した光線は、移動量Ｘｆ＝ｗ（１−１／ｎ）だけ後方へ移動するため、軸外に結像する斜光線Ｃｐ…では、この移動量Ｘｆが軸上よりも大きくなるとともに、タンジェンシャル方向ではより大きくなる。即ち、図７のＯ点とＰ点（像高１５ｍｍ）で計算した場合、Ｏ点における軸光線Ｃｏｃでは１．０ｍｍとなり、Ｏ点における斜光線Ｃｏｖ及びＣｏｈでは１．０８３ｍｍとなり、Ｐ点における斜光線Ｃｐｖでは１．１２６ｍｍとなり、Ｐ点における斜光線Ｃｐｈでは１．１９９ｍｍとなる。したがって、軸上（中心）においてフォーカスを合わせても斜光線上ではフォーカスズレの許容量（１０μｍ以下）を超え、軸外での性能劣化を来してしまう。
【０００４】
このため、従来、このような問題に対処した交換レンズも特許文献１で知られている。同文献１で開示される交換レンズは、銀塩カメラ等の第１カメラボディと、固体撮像素子により撮影可能な電子カメラ等の第２カメラボディに装着可能な撮影光学系を有する交換レンズであり、第１又は第２のカメラボディからの制御信号を受信するための通信手段と、この撮影光学系の収差を変化させる収差補正手段と、この収差補正手段を駆動するための駆動手段と、通信手段により入力した制御信号に基づいて駆動手段を制御する制御手段を具備して構成したものである。
【特許文献１】特開２０００−６６２８６号公報
【発明の開示】
【発明が解決しようとする課題】
【０００５】
しかし、上述した特許文献１で開示される従来の交換レンズは、次のような問題点があった。
【０００６】
第一に、第１又は第２のカメラボディからの制御信号を受信するための通信手段、この通信手段により入力した制御信号に基づいて駆動手段を制御する制御手段などを備えるため、第１及び第２のカメラボディと交換レンズに対して専用の設計を施す必要がある。したがって、交換レンズは、専用に設計した第１及び第２のカメラボディ以外には使用することができないなど、汎用性及びコストパフォーマンスに劣るとともに、利用者にとっての利便性にも難がある。
【０００７】
第二に、上述した通信手段や制御手段をはじめ、収差補正手段を駆動するための駆動手段などを備えるため、第１及び第２のカメラボディ及び交換レンズの双方における構成が煩雑化及び複雑化し、大幅なコストアップ要因になるとともに、小型コンパクト化及び軽量化にとっても無視できない阻害要因となる。
【０００８】
本発明は、このような背景技術に存在する課題を解決した交換レンズの提供を目的とするものである。
【課題を解決するための手段】
【０００９】
本発明にかかる交換レンズ１は、上述した課題を解決するため、カメラボディ５ｆ，５ｄに着脱する複数のレンズＬ１，Ｌ２…Ｌ５を内蔵した交換レンズを構成するに際して、複数のレンズＬ１…における一部のレンズＬ４，Ｌ５を、少なくとも一つの空気間隔Ｓｃを変更する位置であって、フィルムカメラのカメラボディ５ｆに装着した際にレンズの収差量をマッチングさせる第一位置Ｘｆ又はデジタルカメラのカメラボディ５ｄに装着した際にレンズの収差量をマッチングさせる第二位置Ｘｄに変位可能に支持するレンズ支持機構２と、レンズ鏡筒４の外部に露出させた操作部３ｓにより一部のレンズＬ４…を第一位置Ｘｆ又は第二位置Ｘｄへ選択的に変位可能な手動切換操作機構３とを備えることを特徴とする。
【００１０】
この場合、発明の好適な態様により、第一位置Ｘｆでは、フィルムカメラのカメラボディ５ｆに装着した際における収差量が無収差又は許容範囲の収差量となるように設定することができる。また、第二位置Ｘｄでは、デジタルカメラのカメラボディ５ｄに装着した際における収差量が固体撮像素子６の手前に配されるローパスフィルタ７の影響を相殺する収差量となるように設定することができる。
【発明の効果】
【００１１】
このような構成を有する本発明に係る交換レンズ１によれば、次のような顕著な効果を奏する。
【００１２】
（１）  交換レンズ１に、レンズ支持機構２及び手動切換操作機構３を設け、レンズ鏡筒４の外部に露出させた操作部３ｓにより、一部のレンズＬ４…を、フィルムカメラのカメラボディ５ｆにマッチングさせる第一位置Ｘｆ又はデジタルカメラのカメラボディ５ｄにマッチングさせる第二位置Ｘｄへ選択的に変位可能に構成したため、フィルムカメラ又はデジタルカメラに対するマッチングは交換レンズ１側の変更（切換）のみで実現可能となり、カメラボディ５ｆ，５ｄ側の変更は一切不要になる。したがって、様々なタイプのフィルムカメラ及びデジタルカメラに利用可能になるなど、汎用性及びコストパフォーマンスに優れ、しかも、利用者の利便性向上に寄与できる。
【００１３】
（２）  フィルムカメラのカメラボディ５ｆ側及びデジタルカメラのカメラボディ５ｄ側の変更が一切不要になることから、カメラ全体に係わる構成簡略化により、カメラ全体における大幅なコストダウンを図ることができるとともに、カメラ全体の小型コンパクト化及び軽量化にも寄与できる。
【００１４】
（３）  好適な態様により、第一位置Ｘｆを設定するに際し、フィルムカメラのカメラボディ５ｆに装着した際における収差量が無収差又は許容範囲の収差量となるように設定すれば、フィルムカメラのカメラボディ５ｆに対しての最適化を容易かつ確実に行うことができる。
【００１５】
（４）  好適な態様により、第二位置Ｘｄを設定するに際し、デジタルカメラのカメラボディ５ｄに装着した際における収差量が固体撮像素子６の手前に配されるローパスフィルタ７の影響を相殺する収差量に設定すれば、デジタルカメラのカメラボディ５ｄに対しての最適化を容易かつ確実に行うことができる。
【発明を実施するための最良の形態】
【００１６】
次に、本発明に係る最良の実施形態を挙げ、図面に基づき詳細に説明する。
【００１７】
まず、本実施形態に係る交換レンズ１の構成について、図１〜図３を参照して具体的に説明する。
【００１８】
交換レンズ１は、レンズ鏡筒４を備え、このレンズ鏡筒４の内部には、空気間隔Ｓａ，Ｓｂ，Ｓｃ，Ｓｄを介して複数（例示は五つ）のレンズＬ１，Ｌ２，Ｌ３，Ｌ４，Ｌ５を内蔵する。なお、例示する各レンズＬ１…は単一レンズであるが、各レンズＬ１…は、複数のレンズを組合わせた接合レンズ或いはレンズ群などであってもよい。また、図示を省略又は模式化したが、レンズ鏡筒４には、フォーカスリングを回動操作することにより所定のレンズ（レンズ保持枠）を前後方向に変位させてフォーカシングを行うフォーカス調整機構，ズームリングを回動操作することにより所定のレンズ（レンズ保持枠）を前後方向に変位させてズーミングを行うズーム調整機構，絞りリングを回動操作することにより所定のレンズ（レンズ保持枠）を前後方向に変位させて絞り調整を行う絞り調整機構の一又は二以上を備える。
【００１９】
一方、図３に示すように、レンズ鏡筒４の後部寄りには、レンズ支持機構２及び手動切換操作機構３を付設する。レンズ支持機構２は、五つのレンズＬ１…Ｌ５における一部（後側の二つ）のレンズＬ４，Ｌ５を保持し、かつレンズ鏡筒４の内部に収容した筒形のレンズ保持枠１１を備える。このレンズ保持枠１１は、外周面がレンズ鏡筒４の内周面に摺接することにより軸方向及び周方向に変位自在となる。これにより、レンズ鏡筒４、即ち、レンズＬ４，Ｌ５は、少なくとも一つの空気間隔Ｓｃを変更する位置であって、フィルムカメラのカメラボディ５ｆに装着した際にレンズの収差量をマッチングさせる第一位置Ｘｆ又はデジタルカメラのカメラボディ５ｄに装着した際にレンズの収差量をマッチングさせる第二位置Ｘｄに変位可能に支持される。この場合、フィルムカメラのカメラボディ５ｆに装着した際にレンズの収差量をマッチングさせるとは、収差量が無収差又は許容範囲の収差量に設定することを意味する。また、デジタルカメラのカメラボディ５ｄに装着した際にレンズの収差量をマッチングさせるとは、固体撮像素子６の手前に配されるローパスフィルタ７の影響を相殺する収差量に設定することを意味する。したがって、第二位置Ｘｄは第一位置Ｘｆよりも前側に設定される。このような設定により、フィルムカメラのカメラボディ５ｆ及びデジタルカメラのカメラボディ５ｄの双方に対しての最適化を容易かつ確実に行うことができる。
【００２０】
なお、例示の場合、移動させるレンズ保持枠１１は一つであり、変更する空気間隔Ｓｃも一つである。一つの空気間隔Ｓｃの変更のみであっても、オートフォーカスカメラのような場合には、実用上ほとんど問題にならない。しかし、一つの空気間隔Ｓｃの変更のみではレンズバックの変化を伴うため、少なくとも他の一つのレンズ（レンズ群）の位置を変更して補正する必要がある。したがって、より細かな設定（補正）を行う場合には、レンズ保持枠１１を複数設け、それぞれを独立して移動させればよい。また、
例示の場合、後側の二つのレンズＬ４，Ｌ５を移動させるが、前側のレンズを移動させてもよいし、後側と前側の双方のレンズを移動させてもよい。例示のように、空気間隔Ｓｃを通過する中心の光線が収束する場合（図５参照）には、空気間隔Ｓｃの変化と像面の変化を相殺する必要があるため、後側のレンズを移動させることが有効となる。しかし、中心の光線がほぼ平行であれば、前側のレンズを移動させてもよい。
【００２１】
他方、手動切換操作機構３は、レンズ保持枠１１の外周面から放射方向に突出し、かつ周方向に１２０〔゜〕間隔で配した三つ（一般的には複数）の係合ピン１２…と、レンズ鏡筒４の筒部に対して軸方向に形成し、かつ前記係合ピン１２…に対応して設けた三つの直線溝１３…と、レンズ鏡筒４の外周面に沿って周方向に形成したリング状のガイド凹部１４と、このガイド凹部１４に収容した切換リング１５と、この切換リング１５の内周面に形成し、かつ前記係合ピン１２…に対応して設けた三つの傾斜カム溝１６…を有する。この場合、係合ピン１２…は、直線溝１３…を貫通してカム溝１６…に係合する。これにより、切換リング１５は、レンズ鏡筒４の外部に露出させた操作部３ｓを構成し、切換リング１５を所定角度範囲にわたって回動操作すれば、レンズ保持枠１１を後側に位置する第一位置Ｘｆ又は前側に位置する第二位置Ｘｄへ選択的に変位させることができる。このため、図１に示すように、切換リング１５には指標点マーク２１を表示するとともに、レンズ鏡筒４の外周面には、フィルムカメラのカメラボディ５ｆに対応させた、例えば、「Ｆ」のマーキング２２と、デジタルカメラのカメラボディ５ｄに対応させた、例えば、「Ｄ」のマーキング２３を表示する。なお、指標点マーク２１が、「Ｆ」のマーキング２２と「Ｄ」のマーキング２３の位置にそれぞれクリック的に停止するように、切換リング１５とレンズ鏡筒４間にはクリック機構を設けることが望ましい。
【００２２】
次に、本実施形態に係る交換レンズ１の使用方法について、図１〜図４を参照して説明する。
【００２３】
まず、交換レンズ１を、図１に示す銀塩フィルム８を使用するフィルムカメラのカメラボディ５ｆに装着する場合について説明する。この場合、交換レンズ１では、切換リング１５を手で回動操作し、指標点マーク２１を「Ｆ」のマーキング２２に合わせる。切換リング１５の回動変位によりカム溝１６…も周方向一方に変位するとともに、このカム溝１６…及び直線溝１３…の双方に係合ピン１２…が係合しているため、係合ピン１２…はカム溝１６…の傾斜により直線溝１３…に沿って後方へ変位する。そして、図１に示すように、指標点マーク２１を「Ｆ」のマーキング２２に合わせれば、図３に示すように、レンズＬ４，Ｌ５は後側の第一位置Ｘｆに移動する。これにより、交換レンズ１は、フィルムカメラのカメラボディ５ｆに対してレンズの収差量がマッチング、即ち、無収差又は許容範囲の収差量に設定されるため、交換レンズ１を装着したフィルムカメラにより最適な撮影を行うことができる。
【００２４】
一方、交換レンズ１を、図２に示すデジタルカメラのカメラボディ５ｄに装着する場合について説明する。なお、カメラボディ５ｄには、ＣＣＤ等の固体撮像素子６を内蔵するとともに、この固体撮像素子６の受光面６ｆの手前にはローパスフィルタ７が配される。この場合、交換レンズ１では、切換リング１５を手で回動操作し、指標点マーク２１を「Ｄ」のマーキング２３に合わせる。切換リング１５の回動変位によりカム溝１６…も周方向他方に変位するとともに、このカム溝１６…及び直線溝１３…の双方に係合ピン１２…が係合しているため、係合ピン１２…はカム溝１６…の傾斜により直線溝１３…に沿って前方へ変位する。そして、図２に示すように、指標点マーク２１を「Ｄ」のマーキング２３に合わせれば、図４に示すように、レンズＬ４，Ｌ５は、前側の第二位置Ｘｄに移動する。これにより、交換レンズ１は、デジタルカメラのカメラボディ５ｄに対してレンズの収差量がマッチング、即ち、ローパスフィルタ７の影響を相殺した収差量に設定されるため、交換レンズ１を装着したデジタルカメラにより最適な撮影を行うことができる。
【００２５】
次に、本実施形態に係る交換レンズ１の具体的な実施例について、図５及び図６を参照して説明する。
【００２６】
図５は、実施例のレンズ構成を示す。レンズ構成は前述した図３に示したレンズ構成と基本的に同じであり、前側から、レンズＬ１，Ｌ２，Ｌ３，Ｌ４，Ｌ５を備えるとともに、空気間隔Ｓａ，Ｓｂ，Ｓｃ，Ｓｄを備える。そして、この場合、後側の二つのレンズＬ４，Ｌ５がレンズ支持機構２により支持するレンズとなる。なお、例示の場合、レンズＬ３とＬ４間の空気間隔Ｓｃに、二つの絞りＪ１，Ｊ２を配している。したがって、レンズＬ３と絞りＪ１間が空気間隔Ｓｃａ、絞りＪ１と絞りＪ２間が空気間隔Ｓｃｂ、絞りＪ２とレンズＬ４間が空気間隔Ｓｃｃとなる。また、図５（ａ）は交換レンズ１をフィルムカメラ側（「Ｆ」のマーキング２２側）に切換えた状態、即ち、レンズＬ４，Ｌ５を後側の第一位置Ｘｆに切換えた状態を示すとともに、図５（ｂ）は交換レンズ１をデジタルカメラ側（「Ｄ」側のマーキング２３側）に切換えた状態、即ち、レンズＬ４，Ｌ５を前側の第二位置Ｘｄに切換えた状態を示す。したがって、例示の場合、手動切換操作機構３により、フィルムカメラ側又はデジタルカメラ側に切換えた際には、空気間隔Ｓｃｃの距離が変更され、第一位置Ｘｆ（フィルムカメラ側）では空気間隔Ｓｃｃの距離がＳｃｃｆとなり、第二位置Ｘｄ（デジタルカメラ側）では空気間隔Ｓｃｃの距離がＳｃｃｄとなり、ＳｃｃｆのほうがＳｃｃｄよりも長くなる。
【００２７】
表１及び表２には、実施例の交換レンズ１のレンズデータを示し、表１は交換レンズ１をフィルムカメラ側（第一位置Ｘｆ）に切換えたときのレンズデータ、表２は交換レンズ１をデジタルカメラ側（第二位置Ｘｄ）に切換えたときのレンズデータをそれぞれ示す。表１及び表２において、面番号は、前側から順番に各レンズＬ１…の屈折面に付した番号であり、図５（ｂ）に示した面番号に一致する。なお、絞りＪ１とＪ２には番号「７」．「８」を付した。また、面間隔はレンズ厚又は空気間隔を示し、この面間隔と曲率半径の単位は〔ｍｍ〕である。さらに、屈折率はｄ線（λ＝５８７．６〔ｎｍ〕）に対する屈折率を示す。
【００２８】
【表１】
2010020188.tif 000003
【００２９】
【表２】
2010020188.tif 000004
【００３０】
表１に示すように、実施例では、第一位置Ｘｆ（フィルムカメラ側）に切換えたときの空気間隔Ｓｃｃ（Ｓｃｃｆ）を５．９０〔ｍｍ〕に設定し、交換レンズ１を第二位置Ｘｄ（デジタルカメラ側）に切換えたときの空気間隔Ｓｃｃ（Ｓｃｃｄ）を４．００〔ｍｍ〕に設定した。この設定が最適なマッチングであり、第一位置Ｘｆでは、交換レンズ１をフィルムカメラのカメラボディ５ｆに装着した際における収差量が無収差又は許容範囲の収差量となり、他方、第二位置Ｘｄでは、交換レンズ１をデジタルカメラのカメラボディ５ｄに装着した際における収差量が固体撮像素子６の手前に配されるローパスフィルタ７の影響を相殺する収差量となる。特に、第二位置Ｘｄでは、ローパスフィルタ７の光学的影響をキャンセルしやすいように、サジタル方向に対してタンジェンシャル方向の像がより大きくなるように負側へ変化させている。
【００３１】
図６に、図５の実施例における非点収差特性を示し、図６（ａ）は、フィルムカメラ側（第一位置Ｘｆ）に切換えた交換レンズ１を、フィルムカメラのカメラボディ５ｆに装着したときの非点収差特性を示し、図６（ｂ）は、デジタルカメラ側（第二位置Ｘｄ）に切換えた交換レンズ１を、デジタルカメラのカメラボディ５ｄに装着したときの非点収差特性を示す。図６（ａ）及び（ｂ）に示すように、実施例の交換レンズ１では、フィルムカメラのカメラボディ５ｆ及びデジタルカメラのカメラボディ５ｄのいずれに装着した場合であっても、レンズＬ４，Ｌ５の位置を第一位置Ｘｆ又は第二位置Ｘｄに切換えることにより、ほとんど同じ非点収差特性に設定できる。なお、図６（ｃ）には、参考として、フィルムカメラ側（第一位置Ｘｆ）に切換えた交換レンズ１を、デジタルカメラのカメラボディ５ｄに装着したときの非点収差特性を示す。この場合にはミスマッチングとなるため、非点収差特性が劣化し、特に、タンジェンシャル方向に大きく劣化してしまう。
【００３２】
このように、本実施例（本実施形態）に係る交換レンズ１は、当該交換レンズ１に、レンズ支持機構２及び手動切換操作機構３を設け、レンズ鏡筒４の外部に露出させた操作部３ｓにより、一部のレンズＬ４…を、フィルムカメラのカメラボディ５ｆにマッチングさせる第一位置Ｘｆ又はデジタルカメラのカメラボディ５ｄにマッチングさせる第二位置Ｘｄへ選択的に変位可能に構成したため、フィルムカメラ又はデジタルカメラに対するマッチングは交換レンズ１側の変更（切換）のみで実現可能となり、カメラボディ５ｆ，５ｄ側の変更は一切不要になる。したがって、様々なタイプのフィルムカメラ及びデジタルカメラに利用可能になるなど、汎用性及びコストパフォーマンスに優れ、しかも、利用者の利便性向上に寄与できる。また、フィルムカメラのカメラボディ５ｆ側及びデジタルカメラのカメラボディ５ｄ側の変更が一切不要になることから、カメラ全体に係わる構成簡略化により、カメラ全体における大幅なコストダウンを図ることができるとともに、カメラ全体の小型コンパクト化及び軽量化にも寄与できる。
【００３３】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。例えば、カメラボディ５ｆ，５ｄの各タイプは任意であり、実施形態では、レンジファインダタイプを示したが、一眼レフタイプなど、他の各種タイプに適用できる。また、レンズ支持機構２及び手動切換操作機構３は、同一の機能を有するものであれば、他の各種構成により置換することができる。
【図面の簡単な説明】
【００３４】
【図１】本発明の最良の実施形態に係る交換レンズをフィルムカメラのカメラボディに装着した状態を示す外観側面図、
【図２】同交換レンズをデジタルカメラのカメラボディに装着した状態を示す外観側面図、
【図３】同交換レンズをフィルムカメラのカメラボディに装着する際の状態を示す断面側面図、
【図４】同交換レンズをデジタルカメラのカメラボディに装着する際の状態を示す断面側面図、
【図５】同交換レンズの実施例におけるレンズ構成図、
【図６】同交換レンズの実施例における非点収差特性図、
【図７】背景技術の説明図、
【図８】背景技術の他の説明図、
【符号の説明】
【００３５】
１：交換レンズ，２：レンズ支持機構，３：手動切換操作機構，３ｓ：操作部，４：レンズ鏡筒，５ｆ：フィルムカメラのカメラボディ，５ｄ：デジタルカメラのカメラボディ，６：固体撮像素子，７：ローパスフィルタ，Ｌ１，Ｌ２…Ｌ５：レンズ，Ｓｃ：空気間隔，Ｘｆ：第一位置，Ｘｄ：第二位置
【図１】
2010020188.tif 000005
【図２】
2010020188.tif 000006
【図３】
2010020188.tif 000007
【図４】
2010020188.tif 000008
【図５】
2010020188.tif 000009
【図６】
2010020188.tif 000010
【図７】
2010020188.tif 000011
【図８】
2010020188.tif 000012